(57)【要約】【課題】給紙カセットの小型化に貢献することができ、しかも、後端フェンスのズレを抑制しつつ変位操作性を向上することができる給紙カセットを提供する。【解決手段】多サイズの転写紙が収納可能なカセット本体２の底面に転写紙搬送方向に沿って形成されたガイド溝と、カセット本体２の底面にガイド溝の延在方向と交差する方向に延在され且つガイド溝に沿って連続形成された多条被係合部２ｂと、ガイド溝に案内され且つ薄肉ヒンジ部５ｂを介して多条被係合部２ｂと弾発係合する係合部５ｃと、薄肉ヒンジ部５ｂの弾性に抗して多条被係合部２ｂと係合部５ｃとの弾発係合状態を転写紙搬送方向を操作方向として解除する操作片５ｄと、を備えたスライダ５と、スライダ５に保持されてカセット本体２内に収納された転写紙の搬送方向上流側辺と当接可能となるようにカセット本体２内で変位可能な後端フェンス本体６と、を備えている。【選択図】      図３
2010052910.tif 000002
【特許請求の範囲】
【請求項１】
多サイズの転写紙が収納可能なカセット本体の底面に転写紙搬送方向に沿って形成されたガイド溝と、前記カセット本体の底面に前記ガイド溝の延在方向と交差する方向に延在され且つ前記ガイド溝に沿って連続形成された多条被係合部と、前記ガイド溝に案内されるスライダと、該スライダに保持されて前記カセット本体内に収納された転写紙の搬送方向上流側辺と当接可能となるように前記カセット本体内で変位可能な後端フェンス本体と、を備え、
前記スライダは、前記ガイド溝と係合するガイド突起と、薄肉ヒンジ部を介して前記多条被係合部と弾発係合する係合部と、前記薄肉ヒンジ部の弾性に抗して前記多条被係合部と前記係合部との弾発係合状態を転写紙搬送方向を操作方向として解除する操作片と、を備えていることを特徴とする給紙カセット。
【請求項２】
前記多条被係合部は、断面略鋸歯状に形成されると共に、前記後端フェンスの転写紙搬送方向下流側への変位時には、その変位方向への操作荷重のみによって前記多条被係合部と前記係合部との係合状態が解除されるように傾斜され、前記後端フェンスの転写紙搬送方向上流側への変位時には、前記操作片を操作して前記薄肉ヒンジ部の弾性に抗して前記多条被係合部と前記係合部との弾発係合状態を転写紙搬送方向を操作方向として解除しないと変位不能となるように起立されていることを特徴とする請求項１に記載の給紙カセット。
【発明の詳細な説明】
【技術分野】
【０００１】
本発明は、複写機やプリンタ或いはこれらを機能的に備えた複合機に搭載される給紙カセットに関する。
【背景技術】
【０００２】
従来から、複写機やプリンタ或いはこれらを機能的に備えた複合機には、多数枚の転写紙を収納する給紙カセットを搭載したものが周知である。
【０００３】
この際、給紙カセットは、その設置数やユーザの利用頻度等によって収納される転写紙のサイズが異なることから、多サイズの転写紙が収納可能なカセット本体と、このカセット本体内に収納された転写紙の搬送方向に沿う両サイドをガイドするサイドフェンスとは別に、転写紙の搬送方向上流側辺と当接可能な後端フェンスと、を備えたものが周知である。
【０００４】
このような後端フェンスとしては、転写紙の搬送方向上流側辺と当接可能な後端フェンス本体と、該後端フェンス本体の搬送方向上流側面に回動可能に支持され且つ給紙カセットの底面と当接可能なゴム等の摩擦抵抗の高い弾性部材からなる滑り止め部材と、を備え、この滑り止め部材の摩擦力によって後端フェンスを位置決めするものが知られている（例えば、特許文献１参照）。
【０００５】
また、転写紙の搬送方向上流側辺と当接可能な後端フェンス本体と、該後端フェンス本体の搬送方向上流側面に後端フェンスの変位方向と直交する操作方向で回動可能に支持され且つ給紙カセットの底面に形成された被係合溝と係合する係合部と、を備え、被係合溝と係合溝との係合位置によって後端フェンスを位置決めするものが知られている（例えば、特許文献２参照）。
【特許文献１】特開平０７−２０６１７２号公報
【特許文献２】特開２００１−２２００２１号公報
【発明の開示】
【発明が解決しようとする課題】
【０００６】
ところが、上記の如く構成された給紙カセットにあっては、例えば、給紙カセットの底面と当接する滑り止め部材を備えたものにあっては、例えば、給紙カセットに最大サイズの転写紙を収納した際には、給紙カセットの転写紙搬送方向上流側に位置する壁面と後端フェンス本体の搬送方向上流側面との間に滑り止め部材を配置するスペースを確保する必要があり、その分だけ給紙カセットが大型化してしまうという問題が生じていた。
【０００７】
また、給紙カセットの底面と当接する滑り止め部材を備えたものにあっては、給紙カセット内に収納した転写紙束から発生した紙屑や塵埃等によって滑り止め部材の摩擦抵抗力が経年的に低下してしまい、転写紙の給紙時に発生する衝撃によって後端フェンスが転写紙搬送方向上流側へとズレてしまい、印刷ズレの要因となってしまうという問題が生じていた。
【０００８】
さらに、給紙カセットの底面に形成された被係合溝と係合する係合部を備えた給紙カセットにおいても、例えば、給紙カセットに最大サイズの転写紙を収納した際には、給紙カセットの転写紙搬送方向上流側に位置する壁面と後端フェンス本体の搬送方向上流側面との間に係合部を配置するスペースを確保する必要があり、その分だけ給紙カセットが大型化してしまうという問題が生じていた。
【０００９】
また、係合部は後端フェンスの変位方向と直交する操作方向を回動方向としているため、係合部の解除操作と後端フェンスの変位操作とが異なってしまい、操作性が悪いという問題が生じていた。
【００１０】
そこで、本発明は、上記事情を考慮し、給紙カセットの小型化に貢献することができ、しかも、後端フェンスのズレを抑制しつつ変位操作性を向上することができる給紙カセットを提供することを目的とする。
【課題を解決するための手段】
【００１１】
本発明の給紙カセットは、多サイズの転写紙が収納可能なカセット本体の底面に転写紙搬送方向に沿って形成されたガイド溝と、前記カセット本体の底面に前記ガイド溝の延在方向と交差する方向に延在され且つ前記ガイド溝に沿って連続形成された多条被係合部と、前記ガイド溝に案内されるスライダと、該スライダに保持されて前記カセット本体内に収納された転写紙の搬送方向上流側辺と当接可能となるように前記カセット本体内で変位可能な後端フェンス本体と、を備え、前記スライダは、前記ガイド溝と係合するガイド突起と、薄肉ヒンジ部を介して前記多条被係合部と弾発係合する係合部と、前記薄肉ヒンジ部の弾性に抗して前記多条被係合部と前記係合部との弾発係合状態を転写紙搬送方向を操作方向として解除する操作片と、を備えていることを特徴とする。
【００１２】
この際、前記多条被係合部は、断面略鋸歯状に形成されると共に、前記後端フェンスの転写紙搬送方向下流側への変位時には、その変位方向への操作荷重のみによって前記多条被係合部と前記係合部との係合状態が解除されるように傾斜され、前記後端フェンスの転写紙搬送方向上流側への変位時には、前記操作片を操作して前記薄肉ヒンジ部の弾性に抗して前記多条被係合部と前記係合部との弾発係合状態を転写紙搬送方向を操作方向として解除しないと変位不能となるように起立されているのが好ましい。
【発明の効果】
【００１３】
本発明の給紙カセットは、給紙カセットの小型化に貢献することができ、しかも、後端フェンスのズレを抑制しつつ変位操作性を向上することができる。
【発明を実施するための最良の形態】
【００１４】
次に、本発明の一実施形態に係る給紙カセットについて、図面を参照して説明する。
【００１５】
図１は本発明の一実施形態に係る給紙カセットの斜視図、図２は本発明の一実施形態に係る給紙カセットの要部の斜視図、図３は本発明の一実施形態に係る給紙カセットのロック状態の要部の断面図、図４は本発明の一実施形態に係る給紙カセットに適用されるスライダの断面図、図５は本発明の一実施形態に係る給紙カセットに適用されるスライダの平面斜視図、図６は本発明の一実施形態に係る給紙カセットに適用されるスライダの底面斜視図、図７は本発明の一実施形態に係る給紙カセットに適用される後端フェンスの斜視図、図８は本発明の一実施形態に係る給紙カセットの要部の断面図、図９は本発明の一実施形態に係る給紙カセットの他の要部の断面図（後端フェンス変位前）、図１０は本発明の一実施形態に係る給紙カセットの他の要部の断面図（後端フェンス変位後）である。
【００１６】
図１及び図２に示すように、本発明の一実施形態に係る給紙カセット１は、複写機・ファクシミリ或いはこれらを機能的に備えた複合機といった画像形成装置（図示せず）に搭載され、その画像形成装置の正面から引き出し可能となっている。
【００１７】
また、給紙カセット１は、多サイズの転写紙が収納可能なカセット本体２と、カセット本体２内に収納する転写紙のサイズに応じて転写紙の搬送方向に沿う２辺と当接可能となるようにカセット本体２内で変位可能な一対のサイドフェンス３と、転写紙の搬送方向上流側辺と当接可能な後端フェンス４と、を備えている。
【００１８】
カセット本体２の底面には、転写紙搬送方向に沿うガイド溝２ａが形成されている。また、カセット本体２の底面には、ガイド溝２ａの延在方向と交差する方向に延在され且つガイド溝２ａに沿って連続形成された多条被係合部２ｂが形成されている。
【００１９】
後端フェンス４は、ガイド溝２ａに案内される樹脂製のスライダ５と、スライダ５に保持されてカセット本体２内に収納された転写紙の搬送方向上流側辺と当接可能となるようにカセット本体２内で変位可能な後端フェンス本体６と、を備えている。
【００２０】
スライダ５は、図３乃至図６に示すように、ガイド溝２ａと係合するガイド突起５ａと、薄肉ヒンジ部５ｂを介して多条被係合部２ｂと弾発係合する係合部５ｃと、薄肉ヒンジ部５ｂの弾性に抗して多条被係合部２ｂと係合部５ｃとの弾発係合状態を転写紙搬送方向を操作方向として解除する断面楔状の操作片５ｄと、を備えている。また、スライダ５には、後端フェンス本体６の浮き（脱落）を防止するために、一対の係止片５ｅと当接面５ｆとが一体に形成されている。さらに、スライダ５には、ガイド溝２ａと係合する補助ガイドレール５ｇと、Ｃリング７を介して抜け止めピン８が貫通するピン支持筒部５ｈと、が一体に形成されている。尚、抜け止めピン８には、転写紙サイズ検知手段（図示せず）を動作させるための操作レバー（図示せず）が回動可能に係合保持されている。
【００２１】
ガイド突起５ａは、下方に向けて突出する円柱体の下端を下向きの截頭円錐形状とした状態で半割りしたものが用いられ、その截頭円錐形状の下端部分がガイド溝２ａの裏面側に位置することでスライダ５の抜け止めがなされている。
【００２２】
後端フェンス本体６は、図７に示すように、薄肉金属板を略Ｌ字形状に屈曲させたものが用いられており、その底壁６ａがスライダ５に支持されることにより、転写紙の搬送方向上流側辺と当接する縦壁６ｂが起立した状態となる。また、低壁６ａには、操作片５ｄと係合する凹部６ｃが形成されている。さらに、低壁６ａと縦壁６ｂとの境界部分には、ピン貫通孔６ｄが形成されている。尚、低壁６ａと縦壁６ｂとには、使用する材質・肉厚・設定転写紙最大サイズ等に応じて、補強用のプレス加工部６ｅ等を設けることができる。また、上述した一対の係止片５ｅと当接面５ｆとは、低壁６ａの先端寄り両縁付近表面側に一対の係止片５ｅが当接し、低壁６ａの中央寄り両縁付近裏面側に一対の当接面５ｆが当接しする。これにより、低壁６ａの中央寄り表面側に操作片５ｄが当接することと相俟って、スライダ５に対する後端フェンス本体６の浮き（脱落）が防止されている。
【００２３】
抜け止めピン８は、図示しない転写紙サイズ検知手段の操作レバーを挟んでカセット本体２の底面側からガイド溝２ａを貫通させたうえでピン支持筒部５ｈを貫通させることによってガイド突起５ａと共同してカセット本体２に対するスライダ５の抜け止めを行う。従って、抜け止めピン８は、ガイド溝２ａに対するガイドレールの機能を兼ねていることから、補助ガイドレール５ｇは無くても良い。
【００２４】
尚、多条被係合部２ｂは、図３に示すように、転写紙搬送方向（図３の太矢印参照）に沿って全体として断面略鋸歯状に連続して形成され、その個々が上方に向かって開放する凹部となっている。この際、その個々の壁面の一面側（転写紙搬送方向下流側）は、後端フェンス４の転写紙搬送方向下流側への変位時に、その変位方向への操作荷重のみで多条被係合部２ｂと係合部５ｃとの係合状態が解除されるように傾斜されている。さらに、対向する個々の壁面の他面側（転写紙搬送方向上流側）は、後端フェンス４の転写紙搬送方向上流側への変位時に、操作片５ｄを操作して薄肉ヒンジ部５ｂの弾性に抗して多条被係合部２ｂと係合部５ｃとの弾発係合状態を転写紙搬送方向を操作方向（図３の細円弧矢印参照）として解除しないと変位することができないように起立している。
【００２５】
したがって、係合部５ｃにおいても、多条被係合部２ｂの個々の凹形状に倣うように、転写紙搬送方向下流側が傾斜され且つ転写紙搬送方向上流側が起立するように、先端（下端）に向かって先細り状の断面形状とされるのが好ましい。
【００２６】
上記の構成において、後端フェンス４は、例えば、カセット本体２に収納可能な転写紙サイズが設定最大サイズの場合には、図８及び図９に示すように、カセット本体２の後壁付近に位置している。
【００２７】
この際、後端フェンス４は、その位置止め機構が後端フェンス本体６の転写紙搬送方向上流側壁面に位置していないため、後端フェンス本体６をカセット本体２の後壁に接近させることができ、位置決め機構を配置するためのスペースを後端フェンス本体６とカセット本体２との間に確保する必要が無く、カセット本体２の小型化に貢献することができる。
【００２８】
また、カセット本体２内に収納した転写紙のサイズが小さい場合には、例えば、後端フェンス本体６の転写紙搬送方向上流側（背面側）を押し出すだけで、図１０に示すように、スライダ５を後端フェンス本体６と一体に転写紙搬送方向下流側に向けてスライド変位させることができる。
【００２９】
この際、多条被係合部２ｂの個々の写紙搬送方向上流側が起立した壁面となっていることから、画像形成処理のために転写紙と取り出す際に発生する衝撃によって後端フェンス４が転写紙搬送方向上流側にズレてしまうことが無い。
【００３０】
尚、転写紙の補充時や収納する転写紙のサイズを大きくする場合等には、操作片５ｄを転写紙搬送方向を操作方向として操作して薄肉ヒンジ部５ｂの弾性に抗して多条被係合部２ｂと係合部５ｃとの弾発係合状態を解除すれば、後端フェンス４を転写紙搬送方向上流側へとスライド変位させることができる。
【図面の簡単な説明】
【００３１】
【図１】本発明の一実施形態に係る給紙カセットの斜視図である。
【図２】本発明の一実施形態に係る給紙カセットの要部の斜視図である。
【図３】本発明の一実施形態に係る給紙カセットのロック状態の要部の断面図である。
【図４】本発明の一実施形態に係る給紙カセットに適用されるスライダの断面図である。
【図５】本発明の一実施形態に係る給紙カセットに適用されるスライダの平面斜視図である。
【図６】本発明の一実施形態に係る給紙カセットに適用されるスライダの底面斜視図である。
【図７】本発明の一実施形態に係る給紙カセットに適用される後端フェンスの斜視図である。
【図８】本発明の一実施形態に係る給紙カセットの要部の断面図である。
【図９】本発明の一実施形態に係る給紙カセットの他の要部の断面図（後端フェンス変位前）である。
【図１０】本発明の一実施形態に係る給紙カセットの他の要部の断面図（後端フェンス変位後）である。
【符号の説明】
【００３２】
１…給紙カセット
２…カセット本体
２ａ…ガイド溝
２ｂ…多条被係合部
３…サイドフェンス
４…後端フェンス
５…スライダ
５ａ…ガイド突起
５ｂ…薄肉ヒンジ部
５ｃ…係合部
５ｄ…操作片
６…後端フェンス本体
【図１】
2010052910.tif 000003
【図２】
2010052910.tif 000004
【図３】
2010052910.tif 000005
【図４】
2010052910.tif 000006
【図５】
2010052910.tif 000007
【図６】
2010052910.tif 000008
【図７】
2010052910.tif 000009
【図８】
2010052910.tif 000010
【図９】
2010052910.tif 000011
【図１０】
2010052910.tif 000012